(57)【要約】      （修正有）【課題】医用システムを構成する複数のコンピュータがあっても、一台のコンピュータで設定した認証情報や権限情報を他のコンピュータに伝達し、設定できるようにすることで、設定の作業量軽減や食い違い防止する。【解決手段】前記制御装置用のコンピュータ装置１００ｂと該制御装置用コンピュータ装置１００ｂが取得した画像データに基づく画像を表示させる画像表示用コンピュータ装置２００を通信可能に接続した医用システムにおいて、装置制御用コンピュータ１００ｂの操作部１ａで入力されたアカウント情報を情報記憶部７ａに記憶するとともに、前記通信部８ａにより画像表示用コンピュータ装置２００へ送り、画像表示用コンピュータ装置２００では通信部８ｂを通して、情報記憶部７ｂへ記憶させ、操作部１ｂからログインがあったとき、認証部４ｂは、情報記憶部７ｂのアカウント情報を基に認証する。【選択図】図１
2007097744.tif 000002
【特許請求の範囲】
【請求項１】
複数の同一もしくは異なる種類の撮影装置をそれぞれに対応して制御する複数の制御用のコンピュータ装置を、又は前記制御用のコンピュータ装置と該制御用のコンピュータ装置が取得した画像データに基づく画像を表示させる表示用のコンピュータ装置を、通信可能に接続した医用システムであって、
前記通信可能に接続された各コンピュータ装置は、操作部と表示部とを含むユーザインターフェースと、認証情報及び操作する範囲を定めた権限情報を含むアカウント情報を記憶する情報記憶部と、前記認証情報を基に前記インタフェースの操作者を認証する認証部と、いずれかの前記コンピュータ装置のユーザインタフェースから入力され前記情報記憶部に記憶される新アカウント情報を他の各コンピュータ装置の前記情報記憶部に記憶させるために各コンピュータ装置間で送受信するための通信部と、を備えたことを特徴とする医用システム。
【請求項２】
前記通信可能に接続された各コンピュータ装置は、自己の機能に基づく権限の種類を設定可能権限情報として記憶しておき、他の前記コンピュータ装置から受けた前記新アカウント情報の権限情報の中から前記設定可能権限情報に一致する権限情報を抽出して自己の前記情報記憶部へ記憶させる抽出部を備えた前記請求項１に記載の医用システム。
【請求項３】
前記通信可能に接続された各コンピュータ装置は、他の前記コンピュータ装置から受けた、又は自己のユーザインタフェースから入力された新アカウント情報を前記情報記憶部に既に確定済みとして記憶されているアカウント情報とは分けて記憶させ、後に、前記操作者がログイン操作し、前記認証部が認証するときに、前記新アカウント情報により更新するか否かの問い合わせをユーザインタフェースに表示し、前記ユーザインタフェースにより更新する指示を受けたときに、前記確定済みアカウント情報を前記新アカウント情報で更新させてログインさせ、確定しない指示の場合は前記確定済みのアカウント情報でログインさせる更新管理部を備えた、前記請求項１に記載の医用システム。
【請求項４】
前記通信可能に接続された各コンピュータ装置は、自己の機能に基づく権限の種類を設定可能権限情報として記憶しておき、他の前記コンピュータ装置から受けた新アカウント情報の権限情報の中から前記設定可能権限情報に一致する権限情報を抽出して自己の前記情報記憶部へ記憶させる抽出部と、
前記抽出部で抽出された他の前記コンピュータ装置から受けた新アカウント情報を前記情報記憶部に既に確定済みとして記憶されているアカウント情報とは分けて記憶させ、後に、前記操作者がログイン操作し、前記認証部が認証するときに、新アカウント情報により更新するか否かの問い合わせをユーザインタフェースに表示し、前記ユーザインタフェースにより更新する指示を受けたときに、前記確定済みアカウント情報を前記新アカウント情報で更新させてログインさせ、確定しない指示の場合は前記確定済みのアカウント情報でログインさせる更新管理部と、を備えた前記請求項１に記載の医用システム。
【請求項５】
複数の同一もしくは異なる種類の撮影装置をそれぞれに対応して制御する複数の制御用として、又は送られてきた画像データに基づく画像を表示させる表示用として用いられる医用コンピュータ装置であり、他の前記医用コンピュータ装置と共に通信可能に接続される医用コンピュータ装置であって、
操作部と表示部とを含むユーザインターフェースと、認証情報及び操作する範囲を定めた権限情報を含むアカウント情報を、前記ユーザインタフェースから又は前記他の医用コンピュータ装置から受けて記憶する情報記憶部と、前記認証情報を基に前記インタフェースの操作者を認証する認証部と、前記ユーザインターフェースから入力されたアカウント情報を前記他のコンピュータ装置の前記情報記憶部へ記憶させるために送信し、前記他の前記コンピュータ装置のユーザインタフェースから入力されたアカウント情報を自己の前記情報記憶部へ記憶させるために受信する通信部と、を備えたことを特徴とする医用コンピュータ装置。
【発明の詳細な説明】
【技術分野】
【０００１】
本発明は、被検体の患部を撮影し、撮影されて得られた画像を診断に用いる医療機器（Ｘ線ＣＴ装置、ＭＲＩ装置等の撮影を行う診断装置）と、その医療機器で撮影した画像を観察するための画像表示装置や他の医療機器とを通信手段等で結合された装置に関し、特に、それらの装置において、ユーザに係る認証情報及びユーザ個人別に操作可能な機能範囲を表す権限情報を含むアカウント情報を、容易に設定可能にした医用システム及び医用コンピュータ装置に係る。
【背景技術】
【０００２】
Ｘ線ＣＴ装置、ＭＲＩ装置等の診断装置等の医療機器では、撮影装置を含む検査装置と画像処理する側の装置（コンソール）とが別個体で構成されて一装置とされるものがある。そして、検査装置には撮影装置を制御するコンピュータ（以下、「装置制御用コンピュータ」と言う。）が、画像処理する側の装置には撮影した画像の表示・画像処理用のコンピュータ装置（以下、「画像表示用コンピュータ」と言う。）が備えられている（図２１を参照）。また、一装置としての医療機器に、更に複数箇所で観察可能に複数の画像表示用コンピュータが接続されることもある（図２２を参照）。さらに、図２２に示すように一医療機器にそれと同種又は異種の他の医療機器がネットワーク等で接続されて使用されることがある。以下、一医療機器（検査装置とコンソール）、一医療機器と画像表示用コンピュータ、複数医療機器、又はそれらの組み合わせを広義に捉え、「医用システム」と言う。各装置制御用コンピュータ又は各画像表示用コンピュータを纏めて単に「コンピュータ」と言うことがある。
【０００３】
この図２１、２２における各医用システムを、医師や技師、あるいは保守を行うサービスエンジニア等の使用者（以上を纏めて「ユーザ」と言う。）が使用する際には、各コンピュータにログインするとユーザ認証が行われ、ユーザの権限に応じて使用できる機能や表示内容が制限される。ネットワーク関係や個々の処理アプリケーションといったコンピュータの設定情報は各コンピュータの機能や構成によって異なる場合があるが、ユーザの認証や権限は、通信手段等で結合された医用システム全体に対して系統的に定義されるためいずれのコンピュータでも、共通している。
【０００４】
しかし、認証情報や権限情報は、コンピュータ個別に保存されるため、複数のコンピュータで構成される医用システムでは、認証情報や権限情報の設定作業をコンピュータ個別に行っていた。
【発明の開示】
【発明が解決しようとする課題】
【０００５】
上記のような従来技術では、医用システムの据付時には大量のユーザの認証情報や権限情報をそれぞれの各コンピュータに設定する必要がある。また、医師や技師などは異動により人が変わったり、アルバイトや代理で一時的に使用したりするために認証情報や権限情報を追加したり、変更したりする必要がある。したがって、複数のコンピュータで構成される医用システムの各コンピュータ個別に、ユーザの認証情報や権限情報を設定するのは、煩雑で、長時間の作業を必要とし、ユーザの負担となっていた。また、コンピュータ個別での作業は設定誤りによる装置間での認証情報や権限情報の食い違いの原因ともなり、検査を行う際に認証情報の入力ミスによる操作の遅延を起こしていた。診療情報の保護の面では権限のないユーザによる装置の不正操作を許す可能性があった。
【０００６】
この発明では、医用システムを構成する複数のコンピュータがあっても、一台のコンピュータで設定した認証情報や権限情報を他のコンピュータに伝達し、設定できるようにすることで、設定の作業量軽減や食い違いを防止する技術を提供することを目的とする。
【課題を解決するための手段】
【０００７】
請求項１に記載の発明は、複数の同一もしくは異なる種類の撮影装置をそれぞれに対応して制御する複数の制御用のコンピュータ装置を、又は前記制御用のコンピュータ装置と該制御用のコンピュータ装置が取得した画像データに基づく画像を表示させる表示用のコンピュータ装置を、通信可能に接続した医用システムであって、
前記通信可能に接続された各コンピュータ装置は、操作部と表示部とを含むユーザインターフェースと、認証情報及び操作する範囲を定めた権限情報を含むアカウント情報を記憶する情報記憶部と、前記認証情報を基に前記インタフェースの操作者を認証する認証部と、いずれかの前記コンピュータ装置のユーザインタフェースから入力され前記情報記憶部に記憶される新アカウント情報を他の各コンピュータ装置の前記情報記憶部に記憶させるために各コンピュータ装置間で送受信するための通信部と、を備えた。
【０００８】
請求項２に記載の発明は、請求項１に記載の発明において、前記通信可能に接続された各コンピュータ装置は、自己の機能に基づく権限の種類を設定可能権限情報として記憶しておき、他の前記コンピュータ装置から受けた前記新アカウント情報の権限情報の中から前記設定可能権限情報に一致する権限情報を抽出して自己の前記情報記憶部へ記憶させる抽出部を備えた。
【０００９】
請求項３に記載の発明は、請求項１に記載の発明において、前記通信可能に接続された各コンピュータ装置は、他の前記コンピュータ装置から受けた、又は自己のユーザインタフェースから入力された新アカウント情報を前記情報記憶部に既に確定済みとして記憶されているアカウント情報とは分けて記憶させ、後に、前記操作者がログイン操作し、前記認証部が認証するときに、前記新アカウント情報により更新するか否かの問い合わせをユーザインタフェースに表示し、前記ユーザインタフェースにより更新する指示を受けたときに、前記確定済みアカウント情報を前記新アカウント情報で更新させてログインさせ、確定しない指示の場合は前記確定済みのアカウント情報でログインさせる更新管理部を備えた。
【００１０】
請求項４に記載の発明は、請求項１に記載の発明において、前記通信可能に接続された各コンピュータ装置は、自己の機能に基づく権限の種類を設定可能権限情報として記憶しておき、他の前記コンピュータ装置から受けた新アカウント情報の権限情報の中から前記設定可能権限情報に一致する権限情報を抽出して自己の前記情報記憶部へ記憶させる抽出部と、
前記抽出部で抽出された他の前記コンピュータ装置から受けた新アカウント情報を前記情報記憶部に既に確定済みとして記憶されているアカウント情報とは分けて記憶させ、後に、前記操作者がログイン操作し、前記認証部が認証するときに、新アカウント情報により更新するか否かの問い合わせをユーザインタフェースに表示し、前記ユーザインタフェースにより更新する指示を受けたときに、前記確定済みアカウント情報を前記新アカウント情報で更新させてログインさせ、確定しない指示の場合は前記確定済みのアカウント情報でログインさせる更新管理部と、を備えた。
【００１１】
請求項５に記載の発明は、複数の同一もしくは異なる種類の撮影装置をそれぞれに対応して制御する複数の制御用として、又は送られてきた画像データに基づく画像を表示させる表示用として用いられる医用コンピュータ装置であり、他の前記医用コンピュータ装置と共に通信可能に接続される医用コンピュータ装置であって、
操作部と表示部とを含むユーザインターフェースと、認証情報及び操作する範囲を定めた権限情報を含むアカウント情報を、前記ユーザインタフェースから又は前記他の医用コンピュータ装置から受けて記憶する情報記憶部と、前記認証情報を基に前記インタフェースの操作者を認証する認証部と、前記ユーザインターフェースから入力されたアカウント情報を前記他のコンピュータ装置の前記情報記憶部へ記憶させるために送信し、前記他の前記コンピュータ装置のユーザインタフェースから入力されたアカウント情報を自己の前記情報記憶部へ記憶させるために受信する通信部と、を備えた。
【発明の効果】
【００１２】
請求項１又は５の発明によれば、いずれかのコンピュータ（制御用、画像表示用）でアカウント情報が入力されると、それに接続される他のコンピュータにも送られアカウント情報が設定されるので、システム全体としてアカウント情報の入力が容易である。
【００１３】
請求項２又は４の発明によれば、抽出部により、他のコンピュータから受けたアカウント情報から自己に適する権限情報だけ抽出できるので、適正な権限情報が設定できる。
【００１４】
請求項３又は４の発明によれば、更新するか否かの問い合わせ後に更新管理部により更新できるので、一時的な使用の場合、また、他のコンピュータから受けたアカウント情報が無用であるような場合に、確認してから更新できるので、有利である。
【発明を実施するための最良の形態】
【００１５】
本発明に係る医用システムの実施形態について、図面を参照しながら説明する。図１は、医療機器と画像表示コンピュータの組み合わせでなる実施形態の基本的な機能構成を示す図である。図２は、図１の実施形態を変形した実施形態の機能構成を示す図である。図３は、複数の医療機器の組み合わせでなる実施形態の基本的な機能構成を示す図である。図４は、図１の実施形態の動作フローを示す図である。図５は、図２の抽出部５ａ、５ｂの動作を説明するための図である。図６から図９は、図２の実施形態における動作フローを示す図である。図１０及び図１２から図１９は、各実施形態における画面表示例を示す。図１は、図１０のアカウント情報の入力画面に代わる入力データファイルの例を示す図である。図２０は、図３の実施形態における抽出部５ａ、５ｂの動作を説明する図である。図２１，図２２は、従来技術を説明するのに使用した、医療機器等における装置の配置構成を説明するための図であるが、この配置構成は、本発明の実施形態における各装置の配置構成をも示す。
【００１６】
［第１の実施形態の機能構成］
図１の実施形態について説明する。図１は、図２１のように配置構成された医用システムのうち、装置制御用コンピュータ１００ｂと画像表示用コンピュータ２００との間で本発明の実施形態を説明するための機能構成を示す図である。以下、図１を基に説明するが、装置制御用コンピュータ１００ｂ及び画像表示用コンピュータ３００のとの間、及び画像表示用コンピュータ２００と画像表示用コンピュータ３００のとの間でも、機能動作は、同じなので、以下の説明では省略する。
【００１７】
図１において、装置制御用コンピュータ１００ｂにおける、操作部１ａ、表示部２ａ、表示制御部３ａ、認証部４ａ、情報記憶部７ａ及び通信部８ａは、画像表示用コンピュータ２００における、操作部１ｂ、表示部２ｂ、表示制御部３ｂ、認証部４ｂ、情報記憶部７ｂ及び通信部８ｂとは、他に違いの説明がない限り同じである。したがって、装置制御用コンピュータ１００ｂにおける、操作部１ａ、表示部２ａ、表示制御部３ａ、認証部４ａ、情報記憶部７ａ及び通信部８ａを主に説明する。
【００１８】
図１において、操作部１ａ、表示部２ａ及び表示制御部３ａは、いわゆるユーザインタフェースを構成し、表示部２ａの画面を見ながら、撮影、診断及びそれらに関係する種々の操作が可能にされている。
【００１９】
表示制御部３ａは、各操作の案内するための画面情報を記憶しており、操作の都度、操作しようとする機能に応じた画面情報を表示し、ユーザがその画面情報に沿って入力した情報を受け付けて、装置内の各部へ伝える。画面情報としては、例えば、アカウント情報を入力するための画面情報、ログイン画面情報、撮影するための画面情報、画像を生成し、診断するための画面情報等を備えている。ただし、画像表示用コンピュータ２００は、観察用であるから、撮影制御部１０ａがないので、表示制御部３ｂは、撮影のための案内画面情報は備えていない。
【００２０】
例えば、表示制御部３ａは、図１０に示すようなアカウント情報入力画面を表示部２ａに表示させ、操作部１ａを用いてユーザが、ユーザ名等の入力を行い、かつ権限情報を選択（図１０のレ点）したとき、これらの情報を受け付けて完了する。なお、このような受け付けは、一例であって、図１３の電子データのように、図１２のアカウント情報をファイル（電子データ）形式で、ネットワークを介して受けても良いし、光ディスク等の外部メモリで受けても良い。
【００２１】
認証部４ａは、ユーザが、例えば図１５に示すようにログイン画面が表示されているときに、パスワード等を入力してログインしてきたときに、予め情報記憶部７ａに記憶しておいたパスワード等の認証情報と照合し、一致するか否か判断し、一致する場合は、表示制御部３ａに対して、ログインを許可し、不一致の場合は許可しないように指示する。また、ユーザが操作入力してき機能について、認証部４ａが情報記憶部７ａに記憶されている当該ユーザの権限情報と一致するときは、その操作入力を許可するように、一致していないときは許可しないように、表示制御部３ａを制御させる。
【００２２】
情報記憶部７ａは、ユーザのパスワード等の認証情報及びそのユーザが操作可能な機能範囲を表す権限情報を含むアカウント情報を予め記憶する。このアカウント情報を情報記憶部７ａに入力して記憶させるには、操作部１から、図１０の画面に基づいて操作部１ａにより入力されたアカウント情報、又は図１１（内容は図１０と同じ）に示すフィル形式で外部から入力されたアカウント情報を記憶することもできるし、さらに通信部８ａを介して、画像表示用コンピュータ２００（又は３００）から受けたアカウント情報を記憶させることもできる。これらの手順については、後記する。
【００２３】
通信部８ａは、操作部１ａから入力され情報記憶部７ａに記憶される、又は記憶されたアカウント情報を画像表示用コンピュータ２００（及び３００）へ送って、情報記憶部７ｂへ記憶させる。また、画像表示用コンピュータ２００（及び３００）に入力され、それらから送られてきたアカウント情報を情報記憶部７ａに記憶させる。なお、通信方法には、コンピュータ間を通信ケーブルで直結してシリアル通信で行う場合や、ＴＣＰ／ＩＰを用いたネットワークを用いてもよい（いずれも、広義のネットワークとする。）。なお、ＴＣＰ／ＩＰを用いたネットワークでは、ネットワークに接続される装置制御用コンピュータ１００ｂ、画像表示用コンピュータ２００等にはＩＰアドレスを付し、さらに各通信部８ａ，８ｂにはポート番号を付し、アカウント情報を送信するときには、ＩＰアドレス、ポート番号で示される宛先へ送信する。送信側、例えば、装置制御用コンピュータ１００ｂがブロードキャストでアカウント情報を送信し、画像表示用コンピュータ２００（３００）が、ブロードキャストされているアカウント情報を取りに行く形であっても良い。また、通信部８ａ、８ｂは、アカウント情報を送るときに、暗号化して送り、暗号化されたアカウント情報を受けた時は、復号化して、情報記憶部７ｂ（又は７ａ）に記憶させても良い。
【００２４】
撮影制御部１０ａは、画面に表示された撮影案内画面情報応じて、操作入力された情報にしたがって、撮影装置１００ａを制御して、撮影させる。画像生成記憶部９ａは、撮影装置１００ａが撮影して得たデータから、被検体の患部の画像を再構成して記憶するとともに、表示された診断画面情報に基づく操作に応じて診断又は観察対象の画像を表示制御部３ａを介して表示部２ａに表示させる。なお、画像表示用コンピュータ２００は、画像生成することがないので、画像記憶部１１を有し、通信部８ｂを介して装置制御用コンピュータ１００ｂの画像生成記憶部９ａから画像データを受けて、画像記憶部１１に記憶し、操作部１ｂからの観察要求に応じて表示部２ｂに表示させる。
【００２５】
［第１の実施形態の動作フロー］
図４（Ａ）を基に、図１におけるアカウント情報の入力に係る動作フローを説明する。
ステップＳ１ａ：図１０に示すようにアカウント入力画面が表示される。
ステップＳ２ａ：ユーザは、名前、パスワード（認証情報）を入力し、及び操作の権限を設定したい項目を権限情報として選択する（図１０のレ点）。図１０では、アカウント情報として、例えば、患者情報（患者名、生年月日、症状、診察記録等）を入力する権限、撮影して画像を再構成する権限、撮影装置の撮影に係る画像パラメータを変更する権限、アカウント情報を変更する権限等が設定可能にされている。
ステップＳ３ａ：図１０でＯＫキーをクリックすると情報記憶部７ａに図１０のアカウント情報が記憶される。
ステップＳ４ａ：情報記憶部７ａに記憶されたアカウント情報がネットワーク及び通信部８ａ、８ｂによって送受信されて、画像表示用コンピュータ２００の情報記憶部７ｂへ記憶される。このとき、アカウント情報とともに、併せて「送信した旨」の通知を通信部８ａから通信部８ｂへ送っても良い。
ステップＳ５ａ、ステップ７ａ：アカウント情報の入力動作が終了する。
【００２６】
図４（Ｂ）は、アカウント情報が入力された後に、或いは送られた後、ユーザがログインして操作を開始する場合の動作フローを示す図である。この場合は、アカウント情報が実施形態の各コンピュータに記憶されているので、ユーザは、いずれのコンピュータからでもログイン可能である。例えば、画像表示用コンピュータ２００側で説明する。
ステップＳ１ｂ：図１５に示すログイン画面が表示部２ｂに表示される。
ステップＳ２ｂ：ユーザは、操作手段１ｂによりパスワード等の認証情報を入力する。
ステップＳ３ｂ：認証部４ｂは、情報記憶部７ｂのアカウント情報から入力されたパスワード等の認証情報に一致する認証情報があるかどうか照合して、在ればログインを許可する。その後は、表示制御装置３ｂ及び認証部４ｂは、情報記憶部７ｂに記憶されている当該ユーザの権限情報の範囲での画面情報だけ表示させ、それ以外のものは表示させないようにしても良い。また、ユーザが操作入力してき機能について、認証部４ｂが情報記憶部７ｂに記憶されている当該ユーザの権限情報と一致するときは、その操作入力を許可するように、一致していないときは許可しないように、表示制御部３ｂを制御してもよい。
【００２７】
［第２の実施形態の機能構成］
図２の実施形態について説明する。図２は、図１に比べ、抽出部５ａ、５ｂ及び更新管理部６ａ、６ｂが追加されている点で異なり、その他の要素については同じである。抽出部５ａ及び更新管理部６ａは、それぞれ抽出部５ｂ及び更新管理部６ｂと同じ機能なので、一方だけを説明する。
【００２８】
抽出部５ｂは、画像表示用コンピュータ２００自身の機能を達成する資源（例えば、各種ソフト、周辺機器、等）を予め記憶しておき、例えば、装置制御用コンピュータ１００ｂから送られてきたアカウント情報を通信部８ｂで受けて、その中の権限情報と比較し、自己所有の資源の範囲を超える権限情報を制限、或いは削除して、情報記憶部７ｂへ記憶させるものである。例えば、図５に示すように、装置制御用コンピュータ１００ｂから受信したアカウント情報と自己（受信側のコンピュータ）所有又は制御可能な機能資源と比較し、例えば、閲覧ソフトとＤＩＣＯＭ通信ソフトだけがあるのであれば、それに基づく権限だけ、抽出して、他の権限情報を削除して、情報記憶部７ｂへ記憶させるものである。
【００２９】
したがって、抽出部５ｂは、一つのコンピュータで入力されたアカウント情報を各コンピュータの目的・機能に沿ってユーザの操作権限を調整、制限することができる。他の例としては、装置制御用コンピュータ１００ｂは撮影機能を行うが、画像表示用コンピュータ２００は撮影機能がない。したがって、装置制御用コンピュータ１００ｂの権限情報に撮影に係る権限情報があって、それをそのまま画像表示用コンピュータ２００に記憶させても、撮影に係る権限は実行できないので、これを削除して画像表示用コンピュータ２００に記憶させる必要がある。
【００３０】
更新管理部６ｂは、第１の実施形態のように、入力されたアカウント情報をいきなり情報記憶部７ｂに記憶するのではなく、次の（１），（２）又は（３）のようにする。なお、更新とは、新規なアカウント情報であれば、そのまま新規に記憶し、既に同一のパスワードのアカウント情報があれば、それを新たなカウント情報で変更することを言う。
（１）アカウント情報を更新するかどうかの確認画面（図１３，図１４を参照）を表示部２ａに表示させて、ユーザの確認後に確定して記憶させる。図１４は、アカウント情報を入力した側、例えば、装置制御用コンピュータ１００ｂの更新管理部６ａが動作する場合の確認画面の表示例である。図１３は、アカウント情報を装置制御用コンピュータ１００ｂから受信した画像表示用コンピュータ２００側の更新管理部６ｂが動作する場合の更新時の確認画面例である。
【００３１】
（２）アカウント情報を一旦、情報記憶部７ｂに一時記憶させ、例えば次のログイン時にアカウント情報を更新するかどうかの確認画面（図１２、図１６、図１９を参照）を表示部２ｂに表示させて、ユーザの確認後に確定して記憶させる。図１６では、ログイン時に新しいアカウント情報を装置制御用コンピュータ１００ｂから受信（又は操作部１ｂから入力）されたことを表示してユーザへ知らせるとともに、「更新してログイン」か「ログイン」かを問い合わせる。ユーザが前者を選択したときは、以前に情報記憶部７ｂに記憶済みの権限情報を更新してかくて記憶させ、新しい権限情報に基づいてログインする。後者を選択した場合は、一時記憶中のアカウント情報を破棄しそのまま記憶済みの権限情報に基づいてログインする。図１２は、図１６に比べ、権限情報を明示して更新可否を判断しやすいようにした。また図１９は、アカウント情報を入力したときの、入力ユーザ、日時，機器等を明示し、更新可否を判断しやすいようにしている。
(３)上記（２）と同様であるが、ログインのタイミングに関係なく、例えば、装置制御用コンピュータ１００ｂの通信部８ａから、画像表示用コンピュータ２００の通信部８ｂがアカウント情報を受け取ると共にアカウント情報を「送信した」旨の通知を受けたときに、表示制御部３ｂが表示部２ｂに図１７、又は図１８に示すような「受信した」旨の通知をし、アカウント情報を更新するかどうかを問い合わせし、ユーザの選択に応じで一時記憶している新しいアカウント情報で以前のアカウント情報を更新、又は新しいアカウント情報を破棄する構成にしても良い。画像表示用コンピュータ２００の電源がオフのときの装置制御用コンピュータ１００ｂから送られてきたときは、画像表示用コンピュータ２００の電源がオン後に通信部８ｂが通信部８ａにアクセスして受け取って、その後に、図１７又は図１８の表示をさせても良い。図１７と図１８の違いは、前者はアカウント情報の内容である権限情報等を明示し、後者はアカウント情報を入力したユーザ、日時等を明示した例である。
【００３２】
これらの主な動作については、次の第２の実施形態の動作フローで説明するが、次の［第２の実施形態の動作フロー１］は、抽出部５ａ，５ｂがなく、図６のように上記（１）のアカウント情報を更新するための確認画面を出す場合の動作フローの説明であり、［第２の実施形態の動作フロー２］は、抽出部５ａ，５ｂが動作し、かつ上記（１）の確認画面を出す場合の動作フローの説明であり、［第２の実施形態の動作フロー３］は、抽出部５ａ，５ｂが動作し、上記（２）のようにアカウント情報を一時記憶し、更新するための確認画面を出す場合の動作フローの説明である。
【００３３】
［第２の実施形態の動作フロー１］
図６を基に説明する。
ステップＳ１１ａ：表示部２ａは、図１０に示すようなアカウント入力画面を表示する。
ステップＳ１２ａ：ユーザは、名前、パスワード（認証情報）、及び操作の権限を選択する（図１０のレ点）。
ステップＳ１３ａ、１４ａ：表示制御部３ａは、選択された結果を受けて、図１４の確認画面を表示部２ａに表示する。ユーザは、図１４の、ＯＫ、又は、装置全体に適用、キャンセルのいずれかを選択する。
ステップＳ１５ａ、１８ａ：ユーザが、図１４のＯＫを選択した場合は、自己の情報記憶部７ａのみにアカウント情報を更新し記憶して終了する。
ステップＳ１６ａ：ユーザが装置全体を選択したときは、情報記憶部７ａはアカウント情報を記憶する。
ステップＳ１７ａ：情報記憶部７ａに記憶されたアカウント情報がネットワーク及び通信部８ａ、８ｂによって送受信されて、一時記憶される。
ステップＳ１９ａ：そして、表示制御部３ｂ、図１３図、１７又は図１８のようなアカウントを更新するか否かの確認画面を表示部２ｂに表示させる。
ステップＳ２０ａ、２１ａ；確認画面で、更新するキーが選択（クリック）されたときは、情報記憶部７ｂが更新して記憶し、終了する。
なお、ステップＳ１４ａでキャンセルをステップＳ２０で更新しないを選択されたときは、入力されたアカウント情報を破棄して終了する。
【００３４】
［第２の実施形態の動作フロー２］
図７は、図６に加え抽出部５ａ、５ｂの動作を含むフローである。図７には、ステップ１７ｂ、１７ｃが追加されているのが異なる。以下これらのステップだけを説明する。なお、図７で図６と同一符号のステップは、同一動作をする。
【００３５】
ステップ１７ｂ：抽出部５ｂは、画像表示用コンピュータ２００自身の機能資源を予め記憶しておき、例えば、装置制御用コンピュータ１００ｂから受信したアカウント情報を通信部８ｂで受けて、その中の権限情報と比較し、自己所有の資源の範囲内で適正に実行できる権限かどうかを判定する（図５に情報の流れを示す。）。
ステップ１７ｃ：自己所有の資源の範囲を超える権限情報を制限、或いは削除して抽出したアカウント情報を情報記憶部６ｂへ記憶させる。
上記のステップ１７ｂ、１７ｃは、他の装置（図２の装置制御用コンピュータ１００ｂ）で設定されたアカウント情報を画像表示用コンピュータ２００で受けて登録する場合に有効である。
【００３６】
［第２の実施形態の動作フロー３］
図８及び図９に動作フローを示す。これらは、図４の動作フローに、抽出部５ｂの動作ステップを加え（ステップ１７ｂ、１７ｃ）、さらに情報記憶部７ａ、７ｂで一旦、アカウント情報を一時記憶、その後に、ログインがあったときに、ユーザの確認を得てからアカウント情報を確定記憶、又は放棄する例である。なお、図８中の、図６及び図７と同一符号のステップは、同一動作をするので、説明を省略する。
【００３７】
ステップＳ１６ｂ、Ｓ２１ｂ：情報記憶部７ａは、ステップＳ１２ａで入力されたアカウントを一時記憶し、情報記憶部７ｂは、ステップＳ１７ａにより送信され、ステップＳ１７ｂ、Ｓ１７ｃで抽出されたアカウント情報を一時記憶する。
【００３８】
上図８のステップ１６ｂ、２１ｂのステップを前提として、図９のステップＳ８０から説明する。
ステップＳ８０、８１：表示制御部３ｂ（又は３ａ）は、すでに、アカウント情報を新しく受信し（入力され）ている場合は、図１２又は図１６のような確認画面表示をすることにより、アカウント情報が受信（又は入力）されていることを知らせ、更新してログインするかどうかのログイン確認画面を表示させる。その確認画面上で、ユーザが必要な情報を入力（選択）したとき、そのログインを受け付ける。
【００３９】
ステップＳ８３，Ｓ８４：ログインの確認画面を見たユーザが「更新してログイン」キーをクリック（選択）したときは、情報記憶部７ｂ（又は７ａ）は、アカウント情報の一時記憶を止め、確定記憶させて、その後認証し、一致していればログインを許可する。「ログイン」キーをクリックしたときは、情報記憶部７ｂ（又は７ａ）は、アカウント情報の一時記憶を止め（確定記憶させない。）て、その後認証し、一致していればログインを許可する。
【００４０】
［第３の実施形態の機能構成］
図３の実施形態について説明する。図３は、図２２のように配置構成された医用システムのうち、装置制御用コンピュータ１００ｂと装置制御用コンピュータ4００ｂとの間で本発明の実施形態を説明するための機能構成を示す図である。図３と図２とで、符号同一の要素は、同一機能を示す。したがって、図３は、図２において、画像表示用コンピュータ２００を装置制御用コンピュータ１００ｂに置き換えたものと等価である。以下、主に相違部分について説明する。
【００４１】
図３及び図２２において、例えば、検査装置１００がＸ線ＣＴ装置で、検査装置４００がＭＲＩ装置であれば、当然ながら、撮影制御部１０ａ及び画像生成記憶部９ａが撮影制御部１０ｂ及び画像生成記憶部９ｂとそれぞれの目的、作用が異なってくるので、装置制御用コンピュータ１００ｂと装置制御用コンピュータ4００ｂのそれぞれに入力されてくるアカウント情報も異なってくる。
【００４２】
例えば、図３において、装置制御用コンピュータ１００ｂに入力されたアカウント情報を受信した装置制御用コンピュータ4００ｂの抽出部５ｂは、図２０に示すように、自己の機能資源（ソフトウェア、ハードウェア構成）と受信したアカウント情報とを比較し、受信したアカウント情報から、自己が機能できない「３Ｄ構成」「４Ｄ構成」（いずれも画像再生記憶部９ａが再構成できる画像）を除き、抽出したアカウント情報を情報記憶部７ｂに記憶する。
【００４３】
また、検査装置１００がＸ線ＣＴ装置で、検査装置４００もＸ線ＣＴ装置である場合、つまり同種の検査装置間の場合であっても、それぞれタイプ、バージョンやオプションが異なる場合がある。このような場合も、抽出部５ａ、５ｂが自己以外の他の装置から送信されてくるアカウント情報から自己に適性なアカウント情報だけ抽出することができる。
【００４４】
各種コンピュータ装置の通信の組み合わせ、及びコンピュータ装置の表示例等は各種の変形が可能であり、本発明は、上記組み合わせ例、表示例に、限定されるものではない。
【図面の簡単な説明】
【００４５】
【図１】医療機器と画像表示コンピュータの組み合わせでなる実施形態の基本的な機能構成を示す図である。
【図２】図１の実施形態を変形した実施形態の機能構成を示す図である。
【図３】複数の医療機器の組み合わせでなる実施形態の基本的な機能構成を示す図である。
【図４】図１の実施形態の動作フローを示す図である。
【図５】図２の抽出部５ａ、５ｂの動作を説明するための図である。
【図６】図２の実施形態における動作フローを示す図である
【図７】図２の実施形態における動作フローを示す図である
【図８】図２の実施形態における動作フローを示す図である
【図９】図２の実施形態における動作フローを示す図である
【図１０】各実施形態における画面表示例を示す。
【図１１】図１０のアカウント情報の入力画面に変わる入力データファイルの例を示す図である。
【図１２】各実施形態における画面表示例を示す。
【図１３】各実施形態における画面表示例を示す。
【図１４】各実施形態における画面表示例を示す。
【図１５】各実施形態における画面表示例を示す。
【図１６】各実施形態における画面表示例を示す。
【図１７】各実施形態における画面表示例を示す。
【図１８】各実施形態における画面表示例を示す。
【図１９】各実施形態における画面表示例を示す。
【図２０】図３の実施形態における抽出部５ａ、５ｂの動作を説明する図である。
【図２１】従来技術を説明する図であり、かつ本発明の実施形態である図１，図２における各装置の配置構成をも示す。
【図２２】従来技術を説明する図であり、かつ本発明の実施形態である図３における各装置の配置構成をも示す。
【符号の説明】
【００４６】
１ａ，１ｂ  操作部
２ａ，２ｂ  表示部
３ａ，３ｂ  表示制御部
４ａ，４ｂ  認証部
５ａ，５ｂ  抽出部
６ａ，６ｂ  更新管理部
７ａ，７ｂ  情報記憶部
８ａ，８ｂ  通信部
９ａ，９ｂ  画像生成記憶部
１０ａ，１０ｂ  撮影制御部
１００，４００，５００  検査装置
１００ｂ，４００ｂ  装置制御用コンピュータ
２００，３００  画像表示用コンピュータ
【図１】
2007097744.tif 000003
【図２】
2007097744.tif 000004
【図３】
2007097744.tif 000005
【図４】
2007097744.tif 000006
【図５】
2007097744.tif 000007
【図６】
2007097744.tif 000008
【図７】
2007097744.tif 000009
【図８】
2007097744.tif 000010
【図９】
2007097744.tif 000011
【図１１】
2007097744.tif 000012
【図２０】
2007097744.tif 000013
【図２１】
2007097744.tif 000014
【図２２】
2007097744.tif 000015
【図１０】
2007097744.tif 000016
【図１２】
2007097744.tif 000017
【図１３】
2007097744.tif 000018
【図１４】
2007097744.tif 000019
【図１５】
2007097744.tif 000020
【図１６】
2007097744.tif 000021
【図１７】
2007097744.tif 000022
【図１８】
2007097744.tif 000023
【図１９】
2007097744.tif 000024